(57)【要約】      （修正有）【課題】長時間装着しても使用者に不快感を与えることがなく、指の太さの変化に合わせたサイズの測定及び変更を容易に行うことができる指輪用リング及び指輪用リングの成形具を提供する。【解決手段】平面視において、上側に配置され、左右方向に略直線状に延びる平坦部１１と、上側が開いており、左右対称な湾曲形状の湾曲部１２と、平坦部１１の一方の端部とこれに対応する湾曲部１２の一方の端部とを結合する第１結合部１３と、平坦部１１の他方の端部とこれに対応する湾曲部１２の他方の端部とを結合する第２結合部１４と、を備え、第１結合部１３と第２結合部１４は、互いに左右対称であり、かつ、平坦部１１に近づくほど互いが近づく形状を有し、第１結合部１３と第２結合部１４は、湾曲部１２の湾曲形状を平坦部１１まで延ばした仮想形状よりも内側を通る形状を有する。【選択図】図１
2018015320.tif 000002
【特許請求の範囲】
【請求項１】
平面視において、
上側に配置され、左右方向に略直線状に延びる平坦部と、
上側が開いており、左右対称な湾曲形状の湾曲部と、
前記平坦部の一方の端部とこれに対応する前記湾曲部の一方の端部とを結合する第１結合部と、
前記平坦部の他方の端部とこれに対応する前記湾曲部の他方の端部とを結合する第２結合部と、を備え、
前記第１結合部と前記第２結合部は、互いに左右対称であり、かつ、前記平坦部に近づくほど互いが近づく形状を有し、
前記第１結合部と前記第２結合部は、前記湾曲部の湾曲形状を前記平坦部まで延ばした仮想形状よりも内側を通る形状を有することを特徴とする指輪用リング。
【請求項２】
前記第１結合部と前記第２結合部は直線部分をそれぞれ有することを特徴とする請求項１に記載の指輪用リング。
【請求項３】
前記第１結合部と前記第２結合部は、外側に凸となる曲線部をそれぞれ有し、その曲率半径は、前記湾曲部の曲率半径よりも大きいことを特徴とする請求項１に記載の指輪用リング。
【請求項４】
前記平坦部と前記第１結合部の結合点において前記平坦部と前記第１結合部とのなす角度、及び、前記平坦部と前記第２結合部の結合点において前記平坦部と前記第２結合部とのなす角度は、ともに１００度以上１２０度以下であることを特徴とする請求項１に記載の指輪用リング。
【請求項５】
前記平坦部、前記第１結合部、前記湾曲部、及び、前記第２結合部の内周面において、上下方向における最大長さＬ１よりも左右方向における最大長さＬ２の方が大きく、上下方向における最大長さＬ１と左右方向における最大長さＬ２の差は０．５〜２．０ｍｍであることを特徴とする請求項１に記載の指輪用リング。
【請求項６】
前記平坦部の左右方向長さは７．５〜８．５ｍｍであることを特徴とする請求項１に記載の指輪用リング。
【請求項７】
前記平坦部の左右方向長さは、前記第１結合部、前記湾曲部、及び、前記第２結合部のサイズにかかわらず一定であることを特徴とする請求項１に記載の指輪用リング。
【請求項８】
所定方向の一方の端部から他方の端部に向けて末広がりとなる形状を有し、
前記所定方向に直交する断面において、
上側に配置され、左右方向に直線状に延びる平坦面と、
上側が開いており、左右対称な湾曲形状の湾曲面と、
前記平坦面の左右の両端部と前記湾曲面の左右の両端部とをそれぞれ結合する２つの結合面と、を備え、
前記２つの結合面は、互いに左右対称であって、前記平坦面に近づくほど互いが近づく形状を有し、
前記２つの結合面は、前記湾曲形状を前記平坦面まで延ばした仮想形状よりも内側をとおる形状を有する
ことを特徴とする指輪用リングの成形具。
【発明の詳細な説明】
【技術分野】
【０００１】
本発明は、指輪として用いるリングや、宝石等を載置した指輪とするリング、及び、このような指輪用リングを成形するのに用いる成形具に関する。
【背景技術】
【０００２】
従来の指輪用リングは、平面視で円環状の形状を有しているものが一般的である。このため、使用者の指の関節部分が付け根よりも太い場合には、関節部分に合わせたサイズになっているため、付け根付近に指輪を装着すると回転しやすい状態となり、宝石等の位置がずれてしまうという問題があった。
【０００３】
これに対して、特許文献１に記載の指輪は、環状部の内周面に内方へ向かって突出した複数の凸部が設けられており、これによって、指の付け根部分でずれることのない指輪を提供することとしている。
【０００４】
また、特許文献２に記載の指輪は、環状体の内側の腹部側の中心位置より左右に所定間隔を有して先端部を滑らかな曲面とした２個の突起が設けられており、これにより、装着位置における回転等を防止することとしている。
【０００５】
さらにまた、特許文献３に記載の指輪は、環状体の内周面に円弧状に形成した金属製弾性体がロウ付けされており、これにより、調整用の弾性体の取り付け強度をより高めることが可能になるとしている。
【先行技術文献】
【特許文献】
【０００６】
【特許文献１】特開２００２−１０１９２７号公報
【特許文献２】特開２００６−１６７０４１号公報
【特許文献３】登録実用新案公報第３００６２０３号公報
【発明の概要】
【発明が解決しようとする課題】
【０００７】
しかしながら、特許文献１〜２の指輪のように環状部の内周面に凸部や突起を設けた構成では、指輪の回転を防止することはできるようになるものの、指を不均等に圧迫することとなるため、長時間装着すると使用者に不快感を与えてしまうという問題がある。
【０００８】
また、特許文献３に記載の指輪では、ロウ付けされた金属弾性体の交換や加工が困難であるため、指の太さが変わった場合に環状体の内部形状を容易に変更することが難しく、また、装着可能な指のサイズを正確に測定することも難しい。
【０００９】
そこで本発明は、長時間装着しても使用者に不快感を与えることがなく、指の太さの変化に合わせたサイズの測定及び変更を容易に行うことができる指輪用リング及び指輪用リングの成形具を提供することを目的とする。
【課題を解決するための手段】
【００１０】
上記課題を解決するために、本発明の指輪用リングは、平面視において、上側に配置され、左右方向に略直線状に延びる平坦部と、上側が開いており、左右対称な湾曲形状の湾曲部と、平坦部の一方の端部とこれに対応する湾曲部の一方の端部とを結合する第１結合部と、平坦部の他方の端部とこれに対応する湾曲部の他方の端部とを結合する第２結合部と、を備え、第１結合部と第２結合部は、互いに左右対称であり、かつ、平坦部に近づくほど互いが近づく形状を有し、第１結合部と第２結合部は、湾曲部の湾曲形状を平坦部まで延ばした仮想形状よりも内側を通る形状を有することを特徴とする。
【００１１】
本発明の指輪用リングにおいて、第１結合部と第２結合部は直線部分をそれぞれ有することが好ましい。
【００１２】
本発明の指輪用リングにおいて、第１結合部と第２結合部は、外側に凸となる曲線部をそれぞれ有し、その曲率半径は、湾曲部の曲率半径よりも大きいことが好ましい。
【００１３】
本発明の指輪用リングにおいて、平坦部と第１結合部の結合点において平坦部と第１結合部とのなす角度、及び、平坦部と第２結合部の結合点において平坦部と第２結合部とのなす角度は、ともに１００度以上１２０度以下であることが好ましい。
【００１４】
本発明の指輪用リングにおいて、平坦部、第１結合部、湾曲部、及び、第２結合部の内周面において、上下方向における最大長さＬ１よりも左右方向における最大長さＬ２の方が大きく、上下方向における最大長さＬ１と左右方向における最大長さＬ２の差は０．５〜２．０ｍｍであることが好ましい。
【００１５】
本発明の指輪用リングにおいて、平坦部の左右方向長さは７．５〜８．５ｍｍであることが好ましい。
【００１６】
本発明の指輪用リングにおいて、平坦部の左右方向長さは、第１結合部、湾曲部、及び、第２結合部のサイズにかかわらず一定であることが好ましい。
【００１７】
本発明の指輪用リングの成形具は、所定方向の一方の端部から他方の端部に向けて末広がりとなる形状を有し、所定方向に直交する断面において、上側に配置され、左右方向に直線状に延びる平坦面と、上側が開いており、左右対称な湾曲形状の湾曲面と、平坦面の左右の両端部と湾曲面の左右の両端部とをそれぞれ結合する２つの結合面と、を備え、２つの結合面は、互いに左右対称であって、平坦面に近づくほど互いが近づく形状を有し、２つの結合面は、湾曲形状を平坦面まで延ばした仮想形状よりも内側をとおる形状を有することを特徴とする。
【発明の効果】
【００１８】
本発明によると、指の形、すなわち、甲側が比較的平坦で腹側が湾曲した形に沿った平面形状を有しているため、圧迫感がないことから長時間装着しても使用者に不快感を与えることがなく、加齢などによる指の太さの変化に合わせたサイズの測定及び変更を容易に行うことができる。また、リングが回転することを抑えられるため、台座部としての平坦部上に載置した宝石等が傷つくのを防止できる。さらに、指輪用リングに対応した断面形状を有する成形具としての芯金を用いて成形できるため、サイズの測定が容易であり、また、その芯金を使用することによって従来の円環状のリングと同様に容易にサイズ直しの加工を行うことができる。
【図面の簡単な説明】
【００１９】
【図１】本発明の実施形態に係る指輪用リングの構成を示す平面図である。
【図２】本発明の実施形態に係る指輪用リングに宝石を載せた指輪の構成例を示す図である。
【図３】（Ａ）は本発明の実施形態に係る成形具の構成を示す斜視図、（Ｂ）は（Ａ）の成形具の正面図、（Ｃ）はＪＣＳ（Ｊａｐａｎ  Ｃｕｓｔｏｍ  Ｓｉｚｅ）規格におけるサイズと本実施形態におけるサイズを示した表である。
【発明を実施するための形態】
【００２０】
以下、本発明の実施形態に係る指輪用リング、及び、指輪用リングの成形具について図面を参照しつつ詳しく説明する。
図１（Ａ）は、本実施形態に係る指輪用リング１０の構成を示す平面図であり、（Ｂ）は（Ａ）に示す指輪用リング１０の各部のサイズ等を示す平面図である。図２（Ａ）〜（Ｆ）は、指輪用リング１０の平坦部１１上に宝石Ｊを載せて指輪として例を示す図であり、（Ａ）〜（Ｃ）は第１の例を示し、（Ｄ）〜（Ｆ）は第２の例を示す。図２（Ａ）、（Ｄ）は斜視図、（Ｂ）、（Ｅ）は上面図、（Ｃ）、（Ｆ）は平面図である。図３（Ａ）は本実施形態に係る成形具２０の構成を示す斜視図、（Ｂ）は（Ａ）の成形具２０の正面図、（Ｃ）はＪＣＳ（Ｊａｐａｎ  Ｃｕｓｔｏｍ  Ｓｉｚｅ）規格におけるサイズと本実施形態におけるサイズを示した表である。
以下の説明において、図１の紙面に垂直な方向からみた形状を平面視とし、図１（Ａ）、（Ｂ）において、上方向は指の甲側に対応し、下方向は指の腹側に対応し、紙面に垂直な方向に沿って指輪用リング１０内に指を挿入する。
【００２１】
図１（Ａ）、（Ｂ）に示すように、指輪用リング１０は、平坦部１１と、湾曲部１２と、第１結合部１３と、第２結合部１４とを有し、例えば、プラチナ、金、銀、チタン、ステンレス鋼、タンタル、又は、イリジウムで構成する。
【００２２】
平坦部１１は、平面視において、上側、すなわち指の甲側に配置され、左右方向に略直線状に延びる形状（長さＤ１）を有する。その形状は直線状でもよいし、一部に曲線や凹凸部分を含んでもよい。平坦部１１は、その上に宝石等を載置する台座部となる。
なお、指輪用リング１０は、平坦部１１上に宝石等を載置しない指輪としても用いることもできる。
【００２３】
図１（Ａ）、（Ｂ）に示すように、湾曲部１２は、平坦部１１に対向する上側領域が開き、かつ、左右対称な湾曲形状を有する。この湾曲形状は、図１（Ｂ）に示すように、上下方向よりも左右方向の方が長い形状であり、一般的な指の腹側の形状に沿った形状である。このため、長期間装着しても使用者に不快感を与えることがなく、かつ、指の腹に沿った形状であるため回転を抑えることができる。
【００２４】
図１（Ａ）、（Ｂ）に示すように、第１結合部１３は、平坦部１１の左側の端部と、これに対応する、湾曲部１２の左側の端部とを結合し、第２結合部１４は、平坦部１１の右側の端部と、これに対応する、湾曲部１２の右側の端部とを結合する。図１（Ａ）、（Ｂ）に示す例では、これら２つの結合部１３、１４は長さＤ２の直線形状を有する。第１結合部１３と第２結合部１４は、互いに左右対称であり、かつ、平坦部１１に近づくほど互いが近づく形状を有している。さらに、第１結合部１３と第２結合部１４は、湾曲部１２の湾曲形状を平坦部１１まで延ばした仮想形状よりも内側を通る形状を有する。また、第１結合部１３と第２結合部１４は、平面視で直線状でも曲線状でもよいし、直線部分と曲線部分を組み合わせた形状であってもよい。曲線状とする場合には、外側に凸となる形状が好ましく、その曲率半径は湾曲部１２の曲率半径よりも大きい。
このような形状の２つの結合部１３、１４を設けることによって、平坦部１１及び結合部１３、１４の形状を指の甲側の比較的平坦な形状に合わせることができる。したがって、指の腹側の形状に沿った湾曲部１２との組み合わせによって、上下方向よりも横方向が長く、指の形状に沿った平面形状を実現できるため、長時間装着しても使用者に不快感を与えることがなく、リングの回転を抑えて、平坦部１１上の宝石等の損傷を防ぐことができる。また、内周面に突起等がない構造であるため、加齢などによる指の太さの変化に合わせたサイズの測定、及び、サイズ変更のための加工を容易に行うことができる。
【００２５】
以上の構成の指輪用リング１０においては、平坦部１１と第１結合部１３の結合点において平坦部１１と第１結合部１３とのなす角度Ａ（図１（Ｂ））が１００度以上１２０度以下に設定されている。これは、平坦部１１と第２結合部１４の結合点において平坦部１１と第２結合部１４とのなす角度も同様である。このように設定しているため、指の形状に沿ったリング形状を実現でき、使用者に不快感を与えることなく、装着中の回転を防ぐことができる。
【００２６】
また、図１（Ｂ）に示すように、平坦部１１、第１結合部１３、湾曲部１２、及び、第２結合部１４の内周面において、上下方向における最大長さＬ１よりも左右方向における最大長さＬ２の方が大きくなっており、上下方向における最大長さＬ１と左右方向における最大長さＬ２の差は０．５〜２．０ｍｍに設定されている。
ここで、平坦部１１の左右方向長さは７．５〜８．５ｍｍに設定されている。図３（Ｃ）に示すように、従来の指輪の５号〜２０号に対応する範囲においては、平坦部１１の幅Ｄ３（図３（Ｂ））は、湾曲部１２、第１結合部１３、及び第２結合部１４のサイズにかかわらず、８．０ｍｍで一定としている。
このように設定しているため、より指の形状に沿ったリング形状を実現できることから、使用者に不快感を与えることなく、装着中の回転を防ぐことができる。
【００２７】
指輪用リング１０は、従来の円環状の指輪と同様に、鍛造や鋳造（キャスト）によって製造される。よって、従来からの製造設備を利用することができるため、製造コストを増大させることなく製造を行うことができる。
【００２８】
鍛造で製造する場合は、図３（Ａ）、（Ｂ）に示す芯金としての成型具２０に材料を巻き付け、所定の形に打ち延ばすことによって所望の形状のリングを形成する。
【００２９】
また、鋳造で製造する場合は、例えばロストワックス鋳造法では、まずワックスで原型を作り、次に、ワックスの周りを鋳砂で覆い固めた後にワックスを溶かして除去する。これによって形成された空洞としての型に指輪の材料としての金などを流し込み、冷やして固めることによってリングが形成される。
【００３０】
ここで、成形具２０は、所定方向（図３（Ｂ）の上下方向））の上側の端部から下側の端部に向けて末広がりとなる形状を有している。この成型具２０の上記所定方向を直交する断面においては、図３（Ａ）に示すように、上側に配置され、左右方向に直線状に延びる平坦面２１と、上側が開いており、左右対称な湾曲形状の湾曲面２２と、平坦面２１の左右の両端部と湾曲面２２の左右の両端部とをそれぞれ結合する２つの結合面２３、２４と、を備える。図３（Ｂ）に示すように、平坦面２１上には、上記所定方向において一定の間隔で目盛りＳが形成され、下側へ向かうほど外形が広がるのに合わせてリングサイズの号数Ｎが表示されている。平坦面２１、湾曲面２２、及び、２つの結合面２３、２４は、指輪用リング１０の平坦部１１、湾曲部１２、及び、２つの結合部１３、１４にそれぞれ対応する。したがって、指輪用リング１０の平面形状と同様に、図３（Ａ）に示すように、平坦面２１の左右方向の長さは、湾曲面２２の両端部の左右方向における間隔よりも短く、２つの結合面２３、２４は、互いに左右対称であって、平坦面２１に近づくほど互いが近づく形状を有し、２つの結合面２３、２４は、湾曲形状を平坦面２１まで延ばした仮想形状よりも内側をとおる形状を有する。
本発明について上記実施形態を参照しつつ説明したが、本発明は上記実施形態に限定されるものではなく、改良の目的または本発明の思想の範囲内において改良または変更が可能である。
【産業上の利用可能性】
【００３１】
以上のように、本発明に係る指輪用リング及び指輪用リングの成形具は、長時間装着しても使用者に不快感を与えることがない指輪を提供でき、指の太さの変化に合わせたサイズの測定及び変更を容易に行うことができる点で有用である。
【符号の説明】
【００３２】
１０    指輪用リング
１１    平坦部
１２    湾曲部
１３    第１結合部
１４    第２結合部
２０    成形具
２１    平坦面
２２    湾曲面
２３、２４  結合面
Ｄ１、Ｄ２  長さ
Ｌ１、Ｌ２  最大長さ
【図１】
2018015320.tif 000003
【図２】
2018015320.tif 000004
【図３】
2018015320.tif 000005
【手続補正書】
【提出日】平成28年7月29日(2016.7.29)
【手続補正１】
【補正対象書類名】図面
【補正対象項目名】図１
【補正方法】変更
【補正の内容】
【図１】
2018015320.tif 000006
【手続補正２】
【補正対象書類名】図面
【補正対象項目名】図２
【補正方法】変更
【補正の内容】
【図２】
2018015320.tif 000007
【手続補正３】
【補正対象書類名】図面
【補正対象項目名】図３
【補正方法】変更
【補正の内容】
【図３】
2018015320.tif 000008